(57)【要約】      （修正有）【課題】屋外と屋内をつなぐ電線や外にソケットが配備されていないベランダ・庭等の屋外で、屋外から屋内へ、屋内から屋外へ送電する。【解決手段】ガラス戸・ガラス窓・ガラスドア等に、発光ダイオード・ＥＬ素子などの光変換素子を付け、配給側（太陽光発電機などの発電機等・ソケット）からの電気をこの発光ダイオード・ＥＬ素子などの光変換素子が赤外線・遠赤外線・可視光等に変換し、ガラスを通し、反対に取り付けたフォトダイオード・ＥＬ素子などの光変換素子がこの赤外線・遠赤外線・可視光等を電気に変換する。また、上記の発明を用いて、太陽光発電機等の自然エネルギー（風力発電なども含む）利用した発電機→ガラス透過電気コード→直流・交流変換器及び安定器→電化製品といった節電システムを組み立てる。【選択図】図５
2004274074.tif 000002
【特許請求の範囲】
【請求項１】
ガラス戸・ガラス窓・ガラスドア・ガラス等３に、発光ダイオード（ＥＬ素子も含む）１・６を取り付け配給側（太陽光発電機などの発電機等・ソケット）１２・１９からの電気を赤外線・遠赤外線・可視光等の光４に変換し、ガラス３を通し、反対に取り付けたフォトダイオード（ＥＬ素子も含む）２・６が、この赤外線・遠赤外線・可視光等の光４を電気に変換して電化製品等の電気を使用するバッテリー・空気清浄機および洗濯機などの電化製品１３・１４・１７に送電する。
【請求項２】
当ガラス透過電気コードを利用した太陽光発電機等の自然エネルギー（風力発電なども含む）を利用した発電機１２および充電器１３を組わせた節電システム。
【請求項３】
当発明においての請求項１の「発光ダイオード・ＥＬ素子などの光変換素子１・６」を「レーザー光出力機８」に代えて、電気をレーザー光７に変換し、大量のエネルギーを送ると共に光の散乱によるエネルギーの消失を防ぐこと。
【請求項４】
送光側の「発光ダイオード・ＥＬ素子などの光変換素子・レザー出力機１・６・８」と「受光側のフォトダイオード・ＥＬ素子などの光変換素子２・６」にそれぞれ設置台１０を取り付け、ガラス戸・ガラス窓・ガラスドア・ガラス等３に「発光ダイオード（ＥＬ素子も含む）・レザー出力機１・６・８」及び「フォトダイオード・ＥＬ素子などの光変換素子２・６」を付着させる必要を無くして、ドアの開閉を自由に出来るようにすること。
【発明の詳細な説明】
【技術分野】
【０００１】  本発明は、発光ダイオード・レーザー光出力機・フォトダイオード等・ＥＬ素子などの光変換素子を用いて、ガラス戸・ガラス窓・ガラスドア・ガラス等を通して送電する電気コードに関するものである。
【背景技術】
【０００２】  屋外にある太陽光発電機などの発電機等から、閉め切った室内に電気を送電することが出来ず、また屋外用ソケットが無ければ、閉め切った室内から屋外にある電化製品に電気を送電することが出来なかった。【０００３】また、太陽光発電機等の自然エネルギー（風力発電なども含む）を利用した発電機を用いた工事なしに簡易に家庭で組たてられる節電システムがなかった。
【発明の開示】
【発明が解決しようとする課題】
【０００４】  屋外と屋内をつなぐ電線や外にソケットが配備されていないベランダ・庭等の屋外では、屋外から屋内へ、屋内から屋外へ送電することができない。
【課題を解決するための手段】
【０００５】  ガラス戸・ガラス窓・ガラスドア等３に、発光ダイオード（ＥＬ素子も含む）１・６を付け、配給側（太陽光発電機などの発電機等・ソケット１２・１９）からの電気をこのフォトダイオード・ＥＬ素子などの光変換素子１・６で赤外線・遠赤外線・可視光等の光４に変換し、ガラス３を通し、反対に取り付けたフォトダイオードＥＬ素子などの光変換素子２・６が、この赤外線・遠赤外線等の光４を電気に変換する。
また上記の発光ダイオードの代わりにレーザー出力機８を設置し、配給側（太陽光発電機などの発電機等・ソケット１２・１９）の電気を、このレーザー光出力機８がレーザー７に変換し、大量のエネルギーを送ると共に光の散乱によるエネルギーの消失を防ぐ。【０００６】  「送光側の発光ダイオード・ＥＬ素子・レザー出力機１・６・８」と「フォトダイオード・ＥＬ素子２・６に設置台１０」を付け、ガラス戸・ガラス窓・ガラスドア等３に発光ダイオード（ＥＬ素子も含む）・レザー出力機１・６・８及びフォトダイオード（ＥＬ素子も含む）２・６を付着させる必要無くして、ドアの開閉を自由に出来るようにする。【０００７】  また、上記の発明を用いて、太陽光発電機等の自然エネルギー（風力発電なども含む）１２利用した発電機→ガラス透過電気コード→直流・交流変換器及び安定器１５→電化製品１４といった節電システムを組み立てる。
【発明の効果】
【０００８】  ガラス戸・ガラス窓・ガラスドア・ガラスがある所では、ソケット等及び壁に電線を通す工事等をすること無く、且つガラス窓・ガラスドアを閉め切った環境でも、屋外から屋内に、また屋内から屋外に電気を送電することができる。
【発明を実施するための最良の形態】
【０００９】  ガラス戸・ガラス窓・ガラスドア・ガラス等３に、送電側（発光）の発光ダイオード・ＥＬ素子・レーザー光出力機１・６・８、受電側（受電）のフォトダイオード・ＥＬ素子などの光変換素子２・６を取り付ける。【００１０】  「送電側（発光）の発光ダイオード・ＥＬ素子・レーザー光出力機１・６・８」および「受電側（受電）のフォトダイオード・ＥＬ素子などの光変換素子」に設置台１０を取り付けガラス戸・ガラス窓３の開閉が出来るようにする。【００１１】  また、上記の発明を用いて、太陽光発電機等の自然エネルギー（風力発電なども含む）１２利用した発電機→ガラス透過電気コード→直流・交流変換器及び安定器１５→電化製品１４といった節電システムを組み立てる。
【実施例１】
【００１２】  屋外に太陽光発電機９を設置し、ガラス窓３の屋外側に取り付けた発光ダイオード・ＥＬ素子などの光変換素子・レーザー出力機１・６・８に送電する。この発光ダイオード１が赤外線・遠赤外線・可視光等４を発光し、反対側の屋内側に取り付けた受光用のフォトダイオード・ＥＬ素子などの光変換素子２・６に送光する。この受光したフォトダイオード・ＥＬ素子などの光変換素子２・６がバッテリー１３と「直流・交流変換器及び安定機」１５を通して空気清浄機１４などに送電する。（参照図５・８）。
【実施例２】
【００１３】  屋内のソケット１９から、ガラス窓・ガラスドア３の屋内側に取り付けた発光ダイオード・ＥＬ素子などの光変換素子・レーザー出力機１・６・８に送電する。この発光ダイオード・ＥＬ素子などの光変換素子・レーザー出力機１・６・８が赤外線・遠赤外線・可視光等４を発光し、反対側の屋外側に取り付けた受光用のフォトダイオード・ＥＬ素子などの光変換素子２・６に送光する。この受光したフォトダイオード２・６が「直流・交流変換器及び安定機」１５を通して洗濯機などの電化製品１７に送電する。（参照図６・９）。
【実施例３】
【００１４】  電気供給側（太陽光発電機などの発電機等・ソケット１２・１９）からの電気をレーザー出力機８で、このレーザー出力機７で配給側（太陽光発電機などの発電機等・ソケット１２・１９）電気を、光の散乱によるエネルギーの消失を防ぎながら大量のエネルギーを送れるレーザー光７に変換して、このレーザー光７を、ガラス３を通して、フォトダイオード２へ出力する。このレーザー７を受けたフォトダイオード２が電気を発し電化製品２０へ送電する。（参照図３・５・６・７・８・９）
【実施例４】
【００１５】  発光ダイオード・ＥＬ素などの光変換素子子・レザー出力光機１・６・８とフォトダイオード・ＥＬ素子などの光変換素子２・６の送光側・受光側の両側に設置台１０を取り付け、ガラス戸・ガラス窓・ガラスドア・ガラス等３に「送光側の発光ダイオード・ＥＬ素子などの光変換素子・レザー光出力機１・６・８」及び「受光側のフォトダイオード・ＥＬ素子などの光変換素子２・６」とガラス戸・ガラス窓３に隙間９を作り、このガラス戸・ガラス窓３の開閉を自由に出来るようにする。
【図面の簡単な説明】
【００１６】
【図１】発光ダイオード・フォトダイオードをガラス窓・ガラスに取りつけた送電部分（送光部分）の断面図
【図２】ＥＬ素子などの光変換素子をガラス窓・ガラスドアに取り付けた送電部分（送光部分）の断面図
【図３】レーザー光線を利用した場合の送電部分（送光部分）の断面図
【図４】窓を開閉するための設置台を取り付け窓ガラス・ガラス戸との隙間をあけて、ガラス窓・ガラスドアを自由に開け閉めできるようにした時の送電部分（送光部分）の断面図
【図５】ガラス透過電気コードと太陽光発電機などの発電機等を用いたシステムの例
【図６】ガラス透過電気コードを用いて屋外にある電化製品に送電するシステムの応用例
【図７】送光側（発光ダイオード・ＥＬ素子などの光変換素子・レーザー光出力機）および受光側（フォトダイオード・ＥＬ素子などの光変換素子）に設置台を取り付け窓を開閉できるようにした例
【図８】ガラス透過電気コードと太陽光発電機などの発電機等を用いたシステムの概略図
【図９】ガラス透過電気コードを用いて屋外にある電化製品に送電するシステムの概略図
【符号の説明】
【００１７】  １  発光ダイオード
２  フォトダイオード
３  窓ガラス・ガラス戸のガラス
４  赤外線・遠赤外線・可視光等
５  コード
６  ＥＬ素子など光変換素子
７  レーザー光（赤外線・遠赤外線・可視光等のレーザー光も含む）
８  レーザ光出力機
９  窓を開閉するための隙間
１０  設置台
１１  電気を赤外線・遠赤外線・可視光・レーザー光等に変換しこの電気をガラス窓を通す部位
１２  太陽光発電機等
１３  バッテリー
１４  空気清浄機などの電化製品
１５  直流・交流変換器及び安定器
１６  電気を赤外線・遠赤外線・レーザーに等変換し電気この電気をガラス窓を通す部位
１７  洗濯機等の電化製品
１８  市販されている電気コード
１９  ソケット
２０  電気を赤外線・遠赤外線・レーザーに等変換し電気この電気をガラス窓を通す部位
２１  太陽光発電等の発電機
２２  電化製品等
【図１】
2004274074.tif 000003
【図２】
2004274074.tif 000004
【図３】
2004274074.tif 000005
【図４】
2004274074.tif 000006
【図５】
2004274074.tif 000007
【図６】
2004274074.tif 000008
【図７】
2004274074.tif 000009
【図８】
2004274074.tif 000010
【図９】
2004274074.tif 000011